【手続補正書】
【提出日】平成23年8月31日(2011.8.31)
【手続補正１】
【補正対象書類名】特許請求の範囲
【補正対象項目名】全文
【補正方法】変更
【補正の内容】
【特許請求の範囲】
【請求項１】
被写体を撮像して画像フレームを生成する撮像手段と、
前記撮像手段により生成された画像フレームの画像ぶれ量を検出するぶれ量検出手段と、
静止画像の記録を指示する静止画記録指示手段と、
前記静止画記録指示手段の指示タイミングに対応して前記撮像手段により生成された複数の画像フレームのうち、前記ぶれ量検出手段により検出される画像ぶれ量がより少ない画像フレームを静止画像として記録する第１の静止画記録手段と、
前記ぶれ量検出手段により検出される画像ぶれ量とは関係無く、前記静止画記録指示手段の指示タイミングに対応して前記撮像手段により生成された画像フレームを静止画像として記録する第２の静止画記録手段と、
前記静止画記録指示手段により静止画像の記録が指示された場合に、前記撮像手段が被写体を撮像する露光時間に応じて前記第１の静止画記録手段と第２の静止画記録手段のいずれかを選択して静止画像を記録させる記録制御手段と、
を備えることを特徴とする撮像装置。
【請求項２】
前記記録制御手段は、前記撮像手段が被写体を撮像する露光時間が第１露光時間である場合に前記第１の静止画記録手段を選択し、前記撮像手段が被写体を撮像する露光時間が第１露光時間よりも短い第２露光時間である場合に第２の静止画記録手段を選択することを特徴とする請求項１に記載の撮像装置。
【請求項３】
前記撮像手段により前記第１露光時間で逐次被写体を撮像して逐次生成される画像フレームを動画像として記録する動画記録手段を更に備え、
前記第１の静止画記録手段は、前記撮像手段により前記第１露光時間で被写体を撮像して生成された画像フレームを静止画像として記録し、
前記第２の静止画記録手段は、前記撮像手段により前記第２露光時間で被写体を撮像して生成された画像フレームを静止画像として記録し、
前記記録制御手段は、前記動画記録手段による動画像の記録動作中に前記静止画記録指示手段により静止画像の記録が指示された場合には、前記第１の静止画記録手段を選択して静止画像を記録させ、前記動画記録手段による動画像の記録動作中ではないときに前記静止画記録指示手段により静止画像の記録が指示された場合には、前記第２の静止画記録手段を選択して静止画像を記録させることを特徴とする請求項２に記載の撮像装置。
【請求項４】
前記撮像手段により被写体を所定のフレームレートで撮像させて前記第１解像度の複数の画像フレームを逐次生成させる撮像制御手段と、
前記撮像制御手段の制御により生成された前記複数の画像フレームの各々に対応させて前記第２解像度の画像フレームを逐次生成する低解像度画像生成手段と、
前記ぶれ量検出手段の検出結果に基づいて、前記撮像制御手段の制御により生成された前記複数の画像フレームのうち、前記画像ぶれ量が最も少ない画像フレームを特定する特定手段と、を更に備え、
前記動画記録手段は、前記低解像度画像生成手段により生成された前記第２解像度の画像フレームからなる動画像を記録し、
前記第１の静止画記録手段は、前記特定手段により特定された前記画像フレームを前記第２解像度よりも高解像度の静止画像として記録することを特徴とする請求項３に記載の撮像装置。
【請求項５】
前記撮像制御手段は、前記撮像手段が被写体を撮像する露光時間を、前記動画記録手段により動画像を記録する場合には前記第１露光時間に設定し、且つ、前記第２の静止画記録手段により静止画像を記録する場合には前記第２露光時間に設定し、且つ、前記動画記録手段により動画像を記録中に前記静止画記録手段により静止画像を記録する場合には前記第１露光時間に設定する露光時間設定手段を備えることを特徴とする請求項４に記載の撮像装置。
【請求項６】
前記ぶれ量検出手段は、
撮像装置本体の角速度を検出して所定の検出信号を出力する角速度検出手段を備え、前記角速度検出手段から出力された前記所定の検出信号に基づいて、前記撮像制御手段により生成された前記複数の画像フレームの各々における画像ぶれ量を検出することを特徴とする請求項４又は５に記載の撮像装置。
【請求項７】
前記ぶれ量検出手段は、
前記撮像制御手段により生成された前記複数の画像フレームの各々における高周波成分を算出する高周波成分算出手段を備え、前記高周波成分算出手段により算出された前記高周波成分に基づいて、前記複数の画像フレームの各々における画像ぶれ量を検出することを特徴とする請求項４又は５に記載の撮像装置。
【請求項８】
前記ぶれ量検出手段は、
撮像装置本体の角速度を検出して所定の検出信号を出力する角速度検出手段と、前記撮像制御手段により生成された前記複数の画像フレームの各々における高周波成分を算出する高周波成分算出手段と、を備え、前記角速度検出手段から出力された前記所定の検出信号及び前記高周波成分算出手段により算出された前記高周波成分に基づいて、前記複数の画像フレームの各々における画像ぶれ量を検出することを特徴とする請求項４又は５に記載の撮像装置。
【請求項９】
前記ぶれ量検出手段は、前記静止画記録指示手段による前記静止画像の記録の指示に基づいて、前記撮像手段により生成された前記複数の画像フレームの各々における画像ぶれ量を検出することを特徴とする請求項４〜８の何れか一項に記載の撮像装置。
【請求項１０】
前記撮像制御手段は、前記静止画記録指示手段による前記静止画像の記録の指示に応じて、当該指示前よりも高速のフレームレートで前記撮像手段により被写体を撮像させて前記複数の画像フレームを生成することを特徴とする請求項９に記載の撮像装置。
【請求項１１】
前記撮像手段により生成された前記複数の画像フレームを一時的に記憶する一時記憶手段を備え、
前記ぶれ量検出手段および前記特定手段は、前記一時記憶手段により記憶されている複数の画像フレームに基づいて前記画像ぶれ量の検出および前記画像ぶれ量が最も少ない画像フレームの特定を行うことを特徴とする請求項４〜１０の何れか一項に記載の撮像装置。
【請求項１２】
前記一時記憶手段は、前記第１の静止画記録手段による前記静止画像の記録が行われない場合、又は、前記第１の静止画記録手段による前記静止画像の記録後に、一時的に記憶されている当該静止画像に係る前記画像フレーム以外の画像フレームを破棄することを特徴とする請求項１１に記載の撮像装置。
【請求項１３】
前記撮像手段により生成された前記複数の画像フレームに基づいて、被写体画像を表示する表示手段と、
前記撮像手段により生成された前記複数の画像フレームの各々に対応させて前記第１解像度よりも低解像度、且つ、前記第２解像度よりも高解像度である第３解像度の画像フレームを逐次生成する中解像度画像生成手段と、
前記中解像度画像生成手段により生成された前記第３解像度の画像フレームの各々に対応させて前記表示部による前記被写体画像の表示用の第４解像度の画像フレームを生成する表示解像度画像生成手段と、を備え、
前記低解像度画像生成手段は、前記中解像度画像生成手段により生成された前記第３解像度の画像フレームの各々に対応させて前記第２解像度の画像フレームを生成することを特徴とする請求項４〜１０の何れか一項に記載の撮像装置。
【請求項１４】
被写体を撮像して画像フレームを生成する撮像手段を備える撮像装置のコンピュータを、
前記撮像手段により生成された画像フレームの画像ぶれ量を検出するぶれ量検出手段、
静止画像の記録を指示する静止画記録指示手段、
前記静止画記録指示手段の指示タイミングに対応して前記撮像手段により生成された複数の画像フレームのうち、前記ぶれ量検出手段により検出される画像ぶれ量がより少ない画像フレームを静止画像として記録する第１の静止画記録手段、
前記ぶれ量検出手段により検出される画像ぶれ量とは関係無く、前記静止画記録指示手段の指示タイミングに対応して前記撮像手段により生成された画像フレームを静止画像として記録する第２の静止画記録手段、
前記静止画記録指示手段により静止画像の記録が指示された場合に、前記撮像手段が被写体を撮像する露光時間に応じて前記第１の静止画記録手段と第２の静止画記録手段のいずれかを選択して静止画像を記録させる記録制御手段、
として機能させることを特徴とするプログラム。
【手続補正２】
【補正対象書類名】明細書
【補正対象項目名】０００３
【補正方法】変更
【補正の内容】
【０００３】
ところで、動画像の撮影の際には、動画再生時のなめらかさを実現するため、露光時間をできる限り長くする一方で、静止画の撮影の際には、画像ぶれの発生を防ぐために露光時間を短めに設定するのが好ましい。そこで、「ぶれ軽減」機能を具備するカメラにあっては、動画像の記録中に静止画像として記録される画像フレームだけ露光時間を短くして記録するという方法が開発されている。
【特許文献１】特開２００６−２１１４２６号公報
【手続補正３】
【補正対象書類名】明細書
【補正対象項目名】０００５
【補正方法】変更
【補正の内容】
【０００５】
そこで、本発明の課題は、例えば動画像の記録中などにおいて、ぶれの少ない静止画像を取得することができる撮像装置及びプログラムを提供することである。
【手続補正４】
【補正対象書類名】明細書
【補正対象項目名】０００６
【補正方法】変更
【補正の内容】
【０００６】
上記課題を解決するため、請求項１に記載の発明の撮像装置は、被写体を撮像して画像フレームを生成する撮像手段と、前記撮像手段により生成された画像フレームの画像ぶれ量を検出するぶれ量検出手段と、静止画像の記録を指示する静止画記録指示手段と、前記静止画記録指示手段の指示タイミングに対応して前記撮像手段により生成された複数の画像フレームのうち、前記ぶれ量検出手段により検出される画像ぶれ量がより少ない画像フレームを静止画像として記録する第１の静止画記録手段と、前記ぶれ量検出手段により検出される画像ぶれ量とは関係無く、前記静止画記録指示手段の指示タイミングに対応して前記撮像手段により生成された画像フレームを静止画像として記録する第２の静止画記録手段と、前記静止画記録指示手段により静止画像の記録が指示された場合に、前記撮像手段が被写体を撮像する露光時間に応じて前記第１の静止画記録手段と第２の静止画記録手段のいずれかを選択して静止画像を記録させる記録制御手段と、を備えることを特徴としている。
【手続補正５】
【補正対象書類名】明細書
【補正対象項目名】０００７
【補正方法】変更
【補正の内容】
【０００７】
請求項２に記載の発明は更に、前記記録制御手段は、前記撮像手段が被写体を撮像する露光時間が第１露光時間である場合に前記第１の静止画記録手段を選択し、前記撮像手段が被写体を撮像する露光時間が第１露光時間よりも短い第２露光時間である場合に第２の静止画記録手段を選択することを特徴としている。
【手続補正６】
【補正対象書類名】明細書
【補正対象項目名】０００８
【補正方法】変更
【補正の内容】
【０００８】
請求項３に記載の発明は更に、前記撮像手段により前記第１露光時間で逐次被写体を撮像して逐次生成される画像フレームを動画像として記録する動画記録手段を更に備え、前記第１の静止画記録手段は、前記撮像手段により前記第１露光時間で被写体を撮像して生成された画像フレームを静止画像として記録し、前記第２の静止画記録手段は、前記撮像手段により前記第２露光時間で被写体を撮像して生成された画像フレームを静止画像として記録し、前記記録制御手段は、前記動画記録手段による動画像の記録動作中に前記静止画記録指示手段により静止画像の記録が指示された場合には、前記第１の静止画記録手段を選択して静止画像を記録させ、前記動画記録手段による動画像の記録動作中ではないときに前記静止画記録指示手段により静止画像の記録が指示された場合には、前記第２の静止画記録手段を選択して静止画像を記録させることを特徴としている。
【手続補正７】
【補正対象書類名】明細書
【補正対象項目名】０００９
【補正方法】変更
【補正の内容】
【０００９】
請求項４に記載の発明は更に、前記撮像手段により被写体を所定のフレームレートで撮像させて前記第１解像度の複数の画像フレームを逐次生成させる撮像制御手段と、前記撮像制御手段の制御により生成された前記複数の画像フレームの各々に対応させて前記第２解像度の画像フレームを逐次生成する低解像度画像生成手段と、前記ぶれ量検出手段の検出結果に基づいて、前記撮像制御手段の制御により生成された前記複数の画像フレームのうち、前記画像ぶれ量が最も少ない画像フレームを特定する特定手段と、を更に備え、前記動画記録手段は、前記低解像度画像生成手段により生成された前記第２解像度の画像フレームからなる動画像を記録し、前記第１の静止画記録手段は、前記特定手段により特定された前記画像フレームを前記第２解像度よりも高解像度の静止画像として記録することを特徴としている。
【手続補正８】
【補正対象書類名】明細書
【補正対象項目名】００１０
【補正方法】変更
【補正の内容】
【００１０】
請求項５に記載の発明は更に、前記撮像制御手段は、前記撮像手段が被写体を撮像する露光時間を、前記動画記録手段により動画像を記録する場合には前記第１露光時間に設定し、且つ、前記第２の静止画記録手段により静止画像を記録する場合には前記第２露光時間に設定し、且つ、前記動画記録手段により動画像を記録中に前記静止画記録手段により静止画像を記録する場合には前記第１露光時間に設定する露光時間設定手段を備えることを特徴としている。
【手続補正９】
【補正対象書類名】明細書
【補正対象項目名】００１４
【補正方法】変更
【補正の内容】
【００１４】
請求項９に記載の発明は更に、前記ぶれ量検出手段は、前記静止画記録指示手段による前記静止画像の記録の指示に基づいて、前記撮像手段により生成された前記複数の画像フレームの各々における画像ぶれ量を検出することを特徴としている。
【手続補正１０】
【補正対象書類名】明細書
【補正対象項目名】００１５
【補正方法】変更
【補正の内容】
【００１５】
請求項１０に記載の発明は更に、前記撮像制御手段は、前記静止画記録指示手段による前記静止画像の記録の指示に応じて、当該指示前よりも高速のフレームレートで前記撮像手段により被写体を撮像させて前記複数の画像フレームを生成することを特徴としている。
【手続補正１１】
【補正対象書類名】明細書
【補正対象項目名】００１６
【補正方法】変更
【補正の内容】
【００１６】
請求項１１に記載の発明は更に、前記撮像手段により生成された前記複数の画像フレームを一時的に記憶する一時記憶手段を備え、前記ぶれ量検出手段および前記特定手段は、前記一時記憶手段により記憶されている複数の画像フレームに基づいて前記画像ぶれ量の検出および前記画像ぶれ量が最も少ない画像フレームの特定を行うことを特徴としている。
【手続補正１２】
【補正対象書類名】明細書
【補正対象項目名】００１７
【補正方法】変更
【補正の内容】
【００１７】
請求項１２に記載の発明は更に、前記一時記憶手段は、前記第１の静止画記録手段による前記静止画像の記録が行われない場合、又は、前記第１の静止画記録手段による前記静止画像の記録後に、一時的に記憶されている当該静止画像に係る前記画像フレーム以外の画像フレームを破棄することを特徴としている。
【手続補正１３】
【補正対象書類名】明細書
【補正対象項目名】００１８
【補正方法】変更
【補正の内容】
【００１８】
請求項１３に記載の発明は更に、前記撮像手段により生成された前記複数の画像フレームに基づいて、被写体画像を表示する表示手段と、前記撮像手段により生成された前記複数の画像フレームの各々に対応させて前記第１解像度よりも低解像度、且つ、前記第２解像度よりも高解像度である第３解像度の画像フレームを逐次生成する中解像度画像生成手段と、前記中解像度画像生成手段により生成された前記第３解像度の画像フレームの各々に対応させて前記表示部による前記被写体画像の表示用の第４解像度の画像フレームを生成する表示解像度画像生成手段と、を備え、前記低解像度画像生成手段は、前記中解像度画像生成手段により生成された前記第３解像度の画像フレームの各々に対応させて前記第２解像度の画像フレームを生成することを特徴としている。
【手続補正１４】
【補正対象書類名】明細書
【補正対象項目名】００１９
【補正方法】変更
【補正の内容】
【００１９】
請求項１４に記載のプログラムは、被写体を撮像して画像フレームを生成する撮像手段を備える撮像装置のコンピュータを、前記撮像手段により生成された画像フレームの画像ぶれ量を検出するぶれ量検出手段、静止画像の記録を指示する静止画記録指示手段、前記静止画記録指示手段の指示タイミングに対応して前記撮像手段により生成された複数の画像フレームのうち、前記ぶれ量検出手段により検出される画像ぶれ量がより少ない画像フレームを静止画像として記録する第１の静止画記録手段、前記ぶれ量検出手段により検出される画像ぶれ量とは関係無く、前記静止画記録指示手段の指示タイミングに対応して前記撮像手段により生成された画像フレームを静止画像として記録する第２の静止画記録手段、前記静止画記録指示手段により静止画像の記録が指示された場合に、前記撮像手段が被写体を撮像する露光時間に応じて前記第１の静止画記録手段と第２の静止画記録手段のいずれかを選択して静止画像を記録させる記録制御手段、として機能させることを特徴としている。
【手続補正１５】
【補正対象書類名】明細書
【補正対象項目名】００２０
【補正方法】変更
【補正の内容】
【００２０】
本発明によれば、例えば露光時間の異なる動画像の記録中などであっても、ぶれの少ない静止画像を取得することができる。